(57)【要約】      （修正有）【課題】特定の楽曲データをインストールしたヘッドフォンとして販売に供される楽曲インストール型ヘッドフォンを提供する。【解決手段】ヘッドプロテクターを介して連結されたヘッドアーム１２の両端にヘッドフォン本体３０が固定され、ヘッドフォン本体３０のハウジング３内にメディアプレイヤー３２が配置されており、メディアプレイヤー３２にフラッシュメモリー３５、音声データ再生用ソフトウェアー３６、バッテリー３４を収納して構成する。ヘッドフォン本体３０のハウジング３の外面にインディシアプレート２０が嵌着され、インディシアプレート２０の表面に、インストールされた楽曲及びアーティストに由来するデザインが印刷されている。このヘッドフォンを使用するユーザーが、どんなアーチストやどんな楽曲が好みであるかを第三者に一目瞭然に知らせせることができる。【選択図】図３
0003192642.tif 000002
【実用新案登録請求の範囲】
【請求項１】
ヘッドプロテクターを介して連結されたヘッドアームの両端にヘッドフォン本体が固定され、該ヘッドフォン本体のハウジング内にメディアプレイヤーが配置されており、該メディアプレイヤーにフラッシュメモリー、音声データ再生用ソフトウェアー、バッテリーを収納して構成したことを特徴とする楽曲インストール型ヘッドフォン。
【請求項２】
ヘッドフォン本体のハウジングの外面にインディシアプレートが嵌着され、該インディシアプレートの表面に、インストールされた楽曲及びアーティストに由来するデザインが印刷されていることを特徴とする請求項１記載の楽曲インストール型ヘッドフォン。
【請求項３】
ヘッドフォン本体のハウジングの上部外面にメディアプレイヤー操作用の再生／停止ボタン、曲戻し／ボリュームボタン、曲送り／ボリュームアップボタン、リセットボタンを配置したことを特徴とする請求項１記載の楽曲インストール型ヘッドフォン。
【請求項４】
人体への装着を感知するセンサーによってメディアプレイヤーが始動され、該センサーが感圧素子又はペルチェ素子からなることを特徴とする請求項１記載の楽曲インストール型ヘッドフォン。
【請求項５】
ヘッドプロテクター内にヘッドアームの先端を挿入し、多端を回動させることによってヘッドフォン全体をパッケージ内に収納できるように構成し、該パッケージ表面にインディシアデザインを表示したことを特徴とする請求項１記載の楽曲インストール型ヘッドフォン。
【考案の詳細な説明】
【技術分野】
【０００１】  本考案は楽曲インストール型ヘッドフォンに関し、特にヘッドフォン本体のハウジング内にメディアプレイヤーが配置され、該メディアプレイヤーにフラッシュメモリー、音声データ再生用ソフトウェアー、バッテリーを収納して構成した楽曲インストール型ヘッドフォンであって、フラッシュメモリーに予めインストールされた楽曲データはヘッドフォンで聴取する以外では取出すことができないように構成されており、特定の楽曲データをインストールしたヘッドフォンとして販売に供される楽曲インストール型ヘッドフォンに関する。【０００２】  また、本考案の楽曲インストール型ヘッドフォンのハウジングの外面にインディシアプレートが嵌着され、該インディシアプレートの表面に、インストールされた楽曲及びアーティストに由来するデザインが印刷されているので、このヘッドフォンを使用するエンドユーザーが、どんなアーティストやどんな楽曲が好みであるかを第三者に一目瞭然に知らせせるものである。【０００３】  また、楽曲データはコンテンツサプライヤーによってインストールされるものであり、エンドユーザーがメモリーを変更することができないように構成されている楽曲インストール型ヘッドフォンである。
【背景技術】
【０００４】  初期のポータブルオーディオプレイヤーはソニーウォークマン（商品名）などのカセットプレイヤーからＣＤプレイヤー等を経て、フラッシュメモリーやハードディスク等の記憶装置に基づくデジタルオーディオプレイヤーが一般的である。【０００５】  これらのデジタルオーディオプレイヤーでは、エンドユーザーが自由に楽曲をダウンロード又は消去することができるもので、アクセス権はエンドユーザーが保持するタイプである。
【先行技術文献】
【特許文献】
【０００６】
【特許文献１】  特開２００３−２８０６９３号公報
【特許文献２】  特開２００６−１２９０６１号公報
【考案の概要】
【考案が解決しようとする課題】
【０００７】  前記せる特開２００３−２８０６９３号公報では、楽曲再生装置とワイヤレスヘッドフォンとで構成される楽曲再生装置であって、ヘッドフォンが楽曲再生装置と別体となっているのでハンズフリーの状態で手軽に楽曲を楽しむことができることを特徴としている。【０００８】  また、前記せる特開２００６−１２９０６１号公報では、ヘッドアームの一端部の外側に、ハードディスクが内蔵されたデジタルオーディオプレーヤーを着脱自在に取付けたことにより、使用者が運動している時でも、ハンズフリーで音楽を聴取でき、使用操作性を向上させることを特徴としている。【０００９】  しかしながら、前記せる先行技術文献では、いずれもハウジングの外面にインディシアプレートが嵌着し、該インディシアプレートの表面にインストールされた楽曲及びアーティストに由来するデザインを印刷し、このヘッドフォンを使用するエンドユーザーが、どんなアーティストやどんな楽曲が好みであるかを第三者に一目瞭然に知らせせることができるものではなく、特にライブ等の観客がアーティストや楽曲の好みを第三者に伝えて連帯感を持って楽しむ内容ではなかった。
【課題を解決するための手段】
【００１０】  これに対して、本考案の楽曲インストール型ヘッドフォンは以下の手段をもってこの課題を解決するものである。【００１１】  すなわち、ヘッドプロテクターを介して連結されたヘッドアームの両端にヘッドフォン本体が固定され、該ヘッドフォン本体のハウジング内にメディアプレイヤーが配置されており、該メディアプレイヤーにフラッシュメモリー、音声データ再生用ソフトウェアー、バッテリーを収納して構成したことを特徴とし、ヘッドフォン本体のハウジングの外面にインディシアプレートが嵌着され、該インディシアプレートの表面に、インストールされた楽曲及びアーティストに由来するデザインが印刷されていることを特徴とし、ヘッドフォン本体のハウジングの上部外面にメディアプレイヤー操作用の再生／停止ボタン、曲戻し／ボリュームボタン、曲送り／ボリュームアップボタン、リセットボタンを配置したことを特徴とし、人体への装着を感知するセンサーによってメディアプレイヤーが始動され、該センサーが感圧素子又はペルチェ素子からなることを特徴とし、且つ、ヘッドプロテクター内にヘッドアームの先端を挿入し、多端を回動させることによってヘッドフォン全体をパッケージ内に収納できるように構成し、該パッケージ表面にインディシアデザインを表示したことを特徴とする楽曲インストール型ヘッドフォンを提供する。
【考案の効果】
【００１２】  以上説明したように本考案の楽曲インストール型ヘッドフォンによれば、のハウジングの外面にインディシアプレートが嵌着され、該インディシアプレートの表面に、インストールされた楽曲及びアーティストに由来するデザインが印刷されているので、このヘッドフォンを使用するエンドユーザーが、どんなアーティストやどんな楽曲が好みであるかを第三者に一目瞭然に知らせせることができ、また、楽曲データはコンテンツサプライヤーによってインストールされるものでありエンドユーザーがメモリーを変更することができないように構成されている楽曲インストール型ヘッドフォンである。【００１３】  したがって、エンドユーザーは、インディシアプレートの表面に、インストールされた楽曲及びアーティストに由来するデザインが印刷された内容を見て、好みに合った楽曲インストール型ヘッドフォンを容易に購買することができる。
【図面の簡単な説明】
【００１４】
【図１】  楽曲インストール型ヘッドフォンの全体斜視図である。
【図２】  インディシアプレートの平面図である。
【図３】  ヘッドフォン本体の断面図である。
【図４】  パッケージの斜視図である。
【考案を実施するための形態】
【００１５】  本考案の楽曲インストール型ヘッドフォンは以下のように構成されている。
【００１６】  図１乃至図３に示すように、ヘッドプロテクター１１を介して連結されたヘッドアーム１２，１２の両端にヘッドフォン本体３０が固定され、該ヘッドフォン本体３０のハウジング３内にメディアプレイヤー３２が配置されており、該メディアプレイヤー３２にフラッシュメモリー３５、音声データ再生用ソフトウェアー３６、バッテリー３４、発音部３７等が収納されている。
【００１７】  図１に示すように、ヘッドフォン本体３０のハウジング３の外面にインディシアプレート２０が嵌着され、該インディシアプレート２０の表面に、インストールされた楽曲及びアーティストに由来するデザインが印刷されている。
【００１８】  インディシアプレート２０の表面に、インストールされた楽曲及びアーティストに由来するデザインが、図２に示すインディシアプレート２１，２２，２３のように、種々印刷されており、エンドユーザーはインストールされた楽曲及びアーティストに由来するデザインを選択して購入することができる。
【００１９】  また、エンドユーザーがライブの会場などで本考案の楽曲インストール型ヘッドフォンを装着していれば、外部の人にも自分の好みのアーティストや楽曲の好みを知らせることができるので、フアンクラブのメンバーになっているように自己顕示することができる。
【００２０】  更に本考案楽曲インストール型ヘッドフォンを前記せるようなインディシアで表現する手段に供することは、販売促進効果を生じることができる。
【００２１】  ヘッドフォン本体３０のハウジング３の上部外面にメディアプレイヤー操作用の再生／停止ボタン１３、曲戻し／ボリュームボタン１４、曲送り／ボリュームアップボタン１５及びリセットボタン１６が配置されている。
【００２２】  また、人体への装着を感知するセンサー（図示せず）によってメディアプレイヤー３２が始動されるように構成することもできる。
【００２３】  センサー（図示せず）が感圧素子又はペルチェ素子によって構成されても良い。
【００２４】  ヘッドプロテクター１１内にヘッドアーム１２の先端が矢印Ａのように挿入可能になっており、他端を矢印Ｂのように回動することができるので、図４に示すようにヘッドフォン全体をパッケージ５０内に収納することができる。
【００２５】  パッケージ５０の表面には、インディシアプリント５１を表示することができる。
【００２６】  本考案の楽曲インストール型ヘッドフォンを販売に供する場合は、ヘッドフォン全体をパッケージ５０内に収納して提示する場合とヘッドフォン自体を提示して販売に供する場合もあるが、いずれの場合でも楽曲及びアーティストに由来するデザインが、インディシアプレート２０，２１，２２，２３又はインディシアプリント５１に印刷されているのでエンドユーザーはこれらを容易に選択することができる。
【符号の説明】
【００２７】１０  楽曲インストール型ヘッドフォン全体斜視図
１１  ヘッドプロテクター
１２  ヘッドアーム
１３  再生／停止ボタン
１４  曲戻し／ボリュームボタン
１５  曲送り／ボリュームアップボタン
１６  リセットボタン
２０  インディシアプレート
２１  インディシアプレート
２２  インディシアプレート
２３  インディシアプレート
３  ハウジング
３０  ヘッドフォン本体
３１  放音孔
３２  メディアプレイヤー
３３  充電ジャック
３４  バッテリー
３５  フラッシュメモリー
３６  音声データ再生用ソフトウェアー
３７  発音部
４  イヤーパッド
５０  パッケージ
５１  インディシアプリント
【図１】
0003192642.tif 000003
【図２】
0003192642.tif 000004
【図３】
0003192642.tif 000005
【図４】
0003192642.tif 000006
【手続補正書】
【提出日】平成26年6月10日(2014.6.10)
【手続補正１】
【補正対象書類名】実用新案登録請求の範囲
【補正対象項目名】請求項５
【補正方法】変更
【補正の内容】
【請求項５】
ヘッドプロテクター内にヘッドアームの先端を挿入し、他端を回動させることによってヘッドフォン全体をパッケージ内に収納できるように構成し、該パッケージ表面にインディシアデザインを表示したことを特徴とする請求項１記載の楽曲インストール型ヘッドフォン。
【手続補正２】
【補正対象書類名】図面
【補正対象項目名】図２
【補正方法】変更
【補正の内容】
【図２】
0003192642.tif 000007